(57)【要約】【課題】  施設リストの中から所望の施設をすばやく特定できるナビゲーション装置、施設リスト表示方法及びプログラムを提供する。【解決手段】  施設検索条件を設定する条件設定手段と、条件設定手段によって設定された施設検索条件を満たす施設名を検索する施設検索部１６と、施設検索部１６によって検索された複数の施設名をディスプレイ６の画面に表示する操作画像発生部３２とを備えたナビゲーション装置１００において、操作画像発生部３２は、施設名の先頭の同じ名称部分を第１の領域Ａ３に表示し、施設名の先頭の同じ名称部分を除いた残りの名称部分を第２の領域Ａ４にリスト形式に表示する。【選択図】        図４
2005055261.tif 000002
【特許請求の範囲】
【請求項１】
施設検索条件を設定する条件設定手段と、前記条件設定手段によって設定された前記施設検索条件を満たす施設名を検索する施設検索手段と、前記施設検索手段によって検索された複数の施設名を表示装置の画面に表示する描画手段とを備えたナビゲーション装置において、
前記描画手段は、先頭の規定文字数部分が同じ名称の施設名が複数検索された際に、前記施設名の先頭の同じ名称部分を第１の領域に表示し、前記施設名の先頭の同じ名称部分を除いた残りの名称部分を第２の領域にリスト形式で表示することを特徴とするナビゲーション装置。
【請求項２】
前記描画手段は、前記第１の領域に表示する施設名の先頭の同じ名称部分を、所定の文字又は記号に置き換えて、前記第２の領域に表示する施設名の先頭の同じ名称部分を除いた残りの名称部分の前に表示することを特徴とする請求項１記載のナビゲーション装置。
【請求項３】
前記描画手段は、前記施設名の先頭の同じ名称部分を、前記第２の領域に表示した施設名の先頭の同じ名称部分を除いた残りの名称部分の後ろに表示することを特徴とする請求項１記載のナビゲーション装置。
【請求項４】
施設検索条件を設定する条件設定手段と、前記条件設定手段によって設定された前記施設検索条件を満たす施設名を検索する施設検索手段と、前記施設検索手段によって検索された複数の施設名を表示装置の画面にリスト形式で表示する描画手段とを備えたナビゲーション装置において、
前記描画手段は、先頭の規定文字数部分が同じ名称の施設名が複数検索された際に、前記施設名を所定の字数だけ順次横方向に移動させて表示することを特徴とするナビゲーション装置。
【請求項５】
施設検索条件を設定する条件設定手段と、前記条件設定手段によって設定された前記施設検索条件を満たす施設名を検索する施設検索手段と、前記施設検索手段によって検索された複数の施設名を表示装置の画面にリスト形式で表示する描画手段とを備えたナビゲーション装置において、
前記描画手段は、先頭の規定文字数部分が同じ名称の施設名が複数検索された際に、前記施設名の先頭の同じ名称部分を除いた残りの名称部分を左右にスクロールできるように表示することを特徴とするナビゲーション装置。
【請求項６】
施設検索条件を設定する条件設定手段と、
前記条件設定手段によって設定された前記施設検索条件を満たす施設名を検索し、複数の施設が検索された際に、施設のジャンルに応じて検索された施設の件数を絞り込む施設検索手段と、
前記施設検索手段によって先頭の規定文字数部分が同じ名称の施設名が複数検索された際に、前記施設名の先頭の同じ名称部分を第１の領域に表示し、前記施設の先頭の同じ名称部分を除いた残りの名称部分を第２の領域にリスト形式で表示する描画手段とを備えることを特徴とするナビゲーション装置。
【請求項７】
前記描画手段は、前記リスト形式に表示した施設名を上下にスクロールできるように表示することを特徴とする請求項１から請求項６のいずれか一項の記載のナビゲーション装置。
【請求項８】
施設検索条件を設定する第１のステップと、
前記第１のステップによって設定された施設検索条件を満たす施設名を検索する第２のステップと、
前記第２のステップによって先頭の規定文字数部分が同じ名称の施設名が複数検索された際に、前記施設名の先頭の同じ名称部分を第１の領域に表示し、前記施設の先頭の同じ名称部分を除いた残りの名称部分を第２の領域にリスト形式で表示する第３のステップとを有することを特徴とする施設リスト表示方法。
【請求項９】
施設検索条件を設定する第１のステップと、
前記第１のステップによって設定された施設検索条件を満たす施設名を検索する第２のステップと、
前記第２のステップによって先頭の規定文字数部分が同じ名称の施設名が複数検索された際に、前記施設名の先頭の同じ名称部分を第１の領域に表示し、前記施設の先頭の同じ名称部分を除いた残りの名称部分を第２の領域にリスト形式で表示する第３のステップとをコンピュータに実行させるプログラム。
【発明の詳細な説明】
【技術分野】
【０００１】
本発明は、ナビゲーション装置、施設リスト表示方法及びプログラムに関する。
【背景技術】
【０００２】
従来、施設検索結果をリスト形式で表示できるナビゲーション装置が提案されている。図１は従来の施設リストの表示例を示す図である。図１（ａ）に示すように、符号１０６はディスプレイ装置、符号１０７はディスプレイの画面を示している。また、図１（ｂ）は施設リストの表示範囲を示している。図１（ｂ）において、実線で示した範囲が実際にディスプレイ６の画面６１に表示される箇所であり、破線で示した範囲がディスプレイ６の画面６１には表示されない箇所である。
【０００３】
図１（ａ）において、画面左側には、施設リストが表示される領域Ａ０が設けられている。また、画面右側の領域には、施設リストの中から選択された施設を目的地とした場合の走行経路に関する経路情報が表示されている。画面右上側には、文字情報が表示される文字情報領域Ａ１が設けられており、走行距離「８０ｋｍ」、走行時間「３時間」、走行料金「４０００円」が表示されている。
【０００４】
また、画面右下側には、地図画像領域Ａ２が設けられており、目的地として探索された走行経路全体を含む範囲の地図画像が表示されている。また、特許文献１記載のナビゲーション装置は、入力文字に該当する施設を検索し、検索した施設をリストとして表示手段に表示する。ユーザーは施設情報を参照することができるというものである。
【０００５】
【特許文献１】特開２００１−７４４７６号公報
【発明の開示】
【発明が解決しようとする課題】
【０００６】
しかしながら、図１に示すように、従来の施設検索結果のリスト表示では、表示文字数が限定されているため、検索結果の候補が同じグループの施設で、名称が同じであって支店名や部課名などだけが異なるような場合に、表示装置の画面上には、先頭の規定文字数しか表示されないため、表示された複数の候補の中から、所望の施設を特定することが困難であるという問題があった。
【０００７】
また、このような場合、表示装置の画面上に表示されている候補の差分が分からないため、一つ一つの施設名を選択して地図を表示させたり、詳細情報を表示させたりするなどの操作が必要であったため、作業が煩雑になるという問題があった。
【０００８】
そこで、本発明は、これらの問題を解決するためになされたもので、施設リストの中から所望の施設をすばやく特定できるナビゲーション装置を提供することを目的とする。
【課題を解決するための手段】
【０００９】
上記課題を解決するために、本発明のナビゲーション装置は、施設検索条件を設定する条件設定手段と、前記条件設定手段によって設定された前記施設検索条件を満たす施設名を検索する施設検索手段と、前記施設検索手段によって検索された複数の施設名を表示装置の画面に表示する描画手段とを備えたナビゲーション装置において、前記描画手段は、先頭の規定文字数部分が同じ名称の施設名が複数検索された際に、前記施設名の先頭の同じ名称部分を第１の領域に表示し、前記施設名の先頭の同じ名称部分を除いた残りの名称部分を第２の領域にリスト形式で表示することを特徴とする。
【００１０】
本発明によれば、第１の領域に、施設名の先頭の同じ名称部分を表示し、第２の領域に、支店名などのように施設名の先頭の同じ名称部分を除いた残りの名称部分をリスト形式で表示するようにしたため、施設リストの中から所望の施設をすばやく特定することができる。
【００１１】
また、本発明は、上記構成において、前記描画手段は、前記第１の領域に表示する施設名の先頭の同じ名称部分を、所定の文字又は記号に置き換えて、前記第２の領域に表示する施設名の先頭の同じ名称部分を除いた残りの名称部分の前に表示することを特徴とする。本発明によれば、施設名の先頭の同じ名称部分を省略して表示していることを簡単に確認することができる。
【００１２】
また、本発明は、上記構成において、前記描画手段は、前記施設名の先頭の同じ名称部分を、前記第２の領域に表示した施設名の先頭の同じ名称部分を除いた残りの名称部分の後ろに表示することを特徴とする。本発明によれば、ユーザーが必要とする施設名の部分を優先的に表示することができる。
【００１３】
また、本発明のナビゲーション装置は、施設検索条件を設定する条件設定手段と、前記条件設定手段によって設定された前記施設検索条件を満たす施設名を検索する施設検索手段と、前記施設検索手段によって検索された複数の施設名を表示装置の画面にリスト形式で表示する描画手段とを備えたナビゲーション装置において、前記描画手段は、先頭の規定文字数部分が同じ名称の施設名が複数検索された際に、前記施設名を所定の字数だけ順次横方向に移動させて表示することを特徴とする。本発明によれば、施設リストの中から所望の施設をすばやく特定することができる。
【００１４】
また、本発明のナビゲーション装置は、施設検索条件を設定する条件設定手段と、前記条件設定手段によって設定された前記施設検索条件を満たす施設名を検索する施設検索手段と、前記施設検索手段によって検索された複数の施設名を表示装置の画面にリスト形式で表示する描画手段とを備えたナビゲーション装置において、前記描画手段は、先頭の規定文字数部分が同じ名称の施設名が複数検索された際に、前記施設名の先頭の同じ名称部分を除いた残りの名称部分を左右にスクロールできるように表示することを特徴とする。本発明によれば、施設名の先頭の同じ名称部分を除いた残りの名称部分をスクロールできるように表示したので、施設名を確認し易くなる。
【００１５】
本発明のナビゲーション装置は、施設検索条件を設定する条件設定手段と、前記条件設定手段によって設定された前記施設検索条件を満たす施設名を検索し、複数の施設が検索された際に、施設のジャンルに応じて検索された施設の件数を絞り込む施設検索手段と、前記施設検索手段によって先頭の規定文字数部分が同じ名称の施設名が複数検索された際に、前記施設名の先頭の同じ名称部分を第１の領域に表示し、前記施設の先頭の同じ名称部分を除いた残りの名称部分を第２の領域にリスト形式で表示する描画手段とを備えることを特徴とする。本発明によれば、施設のジャンルに応じて施設の件数を絞り込むようにしたので、さらに、施設リストの中から所望の施設をすばやく特定することができる。
【００１６】
また、本発明は、上記構成において、前記描画手段は、前記リスト形式に表示した施設名を上下にスクロールできるように表示することを特徴とする。本発明によれば、多くの施設名を見ることができる。
【００１７】
また、本発明の施設リスト表示方法は、施設検索条件を設定する第１のステップと、前記第１のステップによって設定された施設検索条件を満たす施設名を検索する第２のステップと、前記第２のステップによって先頭の規定文字数部分が同じ名称の施設名が複数検索された際に、前記施設名の先頭の同じ名称部分を第１の領域に表示し、前記施設の先頭の同じ名称部分を除いた残りの名称部分を第２の領域にリスト形式で表示する第３のステップとを有することを特徴とする。本発明によれば、施設リストの中から所望の施設をすばやく特定することができる。
【００１８】
また、本発明のプログラムは、施設検索条件を設定する第１のステップと、前記第１のステップによって設定された施設検索条件を満たす施設名を検索する第２のステップと、前記第２のステップによって先頭の規定文字数部分が同じ名称の施設名が複数検索された際に、前記施設名の先頭の同じ名称部分を第１の領域に表示し、前記施設の先頭の同じ名称部分を除いた残りの名称部分を第２の領域にリスト形式で表示する第３のステップとをコンピュータに実行させる。本発明によれば、施設リストの中から所望の施設をすばやく特定することができる。
【発明の効果】
【００１９】
本発明によれば、施設リストの中から所望の施設をすばやく特定できるナビゲーション装置を提供することができる。
【発明を実施するための最良の形態】
【００２０】
以下、本発明を実施するための最良の形態を説明する。
【実施例１】
【００２１】
図２は、第１実施例に係るナビゲーション装置のブロック図である。図２に示すように、ナビゲーション装置１００は、ナビゲーションコントローラ１、ＤＶＤ（Ｄｉｇｉｔａｌ  Ｖｅｒｓａｔｉｌｅ  Ｄｉｓｋ）２、ディスク読取装置３、リモートコントロール（リモコン）ユニット４、車両位置検出部５、ディスプレイ装置６を備える。
【００２２】
ナビゲーションコントローラ１は、ＣＰＵ（Ｃｅｎｔｒａｌ  Ｐｒｏｃｄｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を用いて所定の動作プログラムを実行することによりその機能を実現する。
【００２３】
ＤＶＤ２は、地図表示、経路探索等に必要な地図データが格納されている記録媒体である。ＤＶＤ２には、経度及び緯度で適当な大きさに区切られた矩形状の図葉を単位とした地図データが格納されている。各図葉の地図データは、図葉番号を指定することにより特定され、読み出すことが可能となる。
【００２４】
ディスク読取装置３は、ナビゲーションコントローラ１の制御に基づきＤＶＤ２から地図データの読み出しを行う。リモコンユニット４は、上下左右の方向を指定するジョイスティック、テンキー、各種の設定などを確定する決定キーなど各種の操作キーを備えており、操作内容に応じた信号をナビゲーションコントローラ１に出力する。
【００２５】
車両位置検出部５は、例えばＧＰＳ受信機、方位センサ、距離センサなどを備えており、所定タイミングで車両位置（経度、緯度）の検出を行い、検出結果を出力する。ディスプレイ装置６は、ナビゲーションコントローラ１から出力される描画データに基づいて自車位置周辺の地図画像や、周辺施設の検索結果などの各種画像を表示する。
【００２６】
次に、ナビゲーションコントローラ１の詳細構成について説明する。ナビゲーションコントローラ１は、地図バッファ１０、地図読出制御部１２、地図描画部１４、施設検索部１６、文字情報作成・描画部１８、ＶＲＡＭ（Ｖｉｄｅｏ  ＲＡＭ）２０、車両位置計算部２２、経路探索処理部２４、経路メモリ２６、経路誘導処理部２８、入力処理部３０、操作画面発生部３２、画像合成部３４を備える。
【００２７】
地図バッファ１０は、ディスク読取装置３によってＤＶＤ２から読み出された地図データを一時的に格納する。地図読出制御部１２は、車両位置計算部２２により算出される車両位置や入力処理部３０からの要求等に応じて、所定範囲の地図データの読み出し要求をディスク読取装置３に出力する。
【００２８】
地図描画部１４は、地図バッファ１０に格納された地図データに基づいて、地図画像を表示するための地図描画データを作成する。施設検索部１６は、リモコンユニット４を用いて利用者により設定された所定の施設検索条件を満たす施設を検索する。また、施設検索部１６は、リモコンユニット４を用いて利用者により、検索結果として得られた複数の施設の中から一の施設が特定されたときに、この施設を選択候補として設定する。また、施設検索部１６は、複数の施設が検索された際に、施設のジャンルに応じて検索された施設の件数を絞り込むようにしてもよい。施設検索条件には、例えば公園、遊園地等の施設のジャンル又は施設の所在地等が含まれる。
【００２９】
文字情報作成・描画部１８は、選択候補として特定された一の施設に至る走行経路に関する文字情報を作成し、この文字情報を表示するための描画データを作成し、ＶＲＡＭ２０に格納する。ＶＲＡＭ２０は、地図描画部１４から出力される地図描画データや文字情報・描画部１８から出力される描画データなどを一時的に格納する。
【００３０】
車両位置計算部２２は、車両位置検出部５から出力される検出データに基づいて自車位置及び自車方位を計算し、計算した自車位置が地図データの道路上にない場合には、自動位置を修正するマップマッチング処理を行う。経路探索処理部２４は、利用者によって指定された出発地と目的地の間を所定条件下で結ぶ走行経路を探索する。
【００３１】
経路メモリ２６は、経路探索処理部２４によって抽出された走行経路に対応する経路データを格納する。経路誘導処理部２８は、経路メモリ２６に格納された経路データを読み出して、誘導対象の走行経路を地図上に重ねて表示するための描画データを作成するなどの経路誘導処理を行う。入力処理部３０は、リモコンユニット４から入力される各種操作指示に対応する動作を行うための命令をナビゲータコントローラ１内の各部に向けて出力する。
【００３２】
操作画面発生部３２は、利用者が各種の操作指示を行うために必要な操作画面を表示するための描画データを作成する。操作画面発生部３２は、例えば、施設検索部１６による施設検索を行う際の施設検索条件を入力するための操作画面に対応する描画データや、施設検索部１６によって探索された複数の施設を選択肢としてリスト形成で表示した操作画面に対応する描画データを作成する。画像合成部３４は、ＶＲＡＭ２０から読み出した描画データと、操作画面発生部３２から出力される描画データとを重ねて画像合成を行い、合成データをディスプレイ装置６に出力する。
【００３３】
次に、本実施例に係るナビゲーション装置１００の動作について説明する。図３は第１実施例に係るナビゲーション装置１００の動作例である。ステップ１０１において、施設検索部１６は、利用者がリモコンユニット４を用いて施設検索を指示したか否かを判定する。施設検索の指示がなされていない間は、ステップ１０１の判定を繰り返す。
【００３４】
ステップ１０１において、施設検索部１６が施設検索の指示を検出すると、ステップ１０２において、施設検索部１６は、リモコンユニット４からの指示内容に応じて施設を検索する。施設検索部１６は、施設検索条件を満たす施設が存在した場合は、検索結果を操作画面発生部３２へ出力する。操作画面発生部３２は、施設検索部からの検索結果に基づき施設リストを作成し、画像合成部３４へ出力する。
【００３５】
ステップ１０３において、ディスプレイ装置６は、画像合成部３４からの出力信号に応じた施設リストを画面上に表示する。ステップ１０４において、施設検索部１６は、ディスプレイ装置６に表示された施設リストの中からいずれか一の施設が選択されたか否かを検出する。施設検索部１６は、施設が選択されたことを検出すると、検出結果を経路探索処理部２４へ出力する。
【００３６】
ステップ１０５において、経路探索処理部２４は、選択された施設の所在地を目的地として、現在の車両位置と目的地とを結ぶ走行経路を探索する。経路探索処理部２４は、探索された走行経路に沿って車両を走行させた場合に、施設へ至るまでの走行距離、走行時間、走行料金等を算出する。ステップ１０６において、文字情報作成・描画部１８は、経路探索処理部２４からの算出結果に応じた描画データを作成する。文字情報作成・描画部１８は、作成した描画データをＶＲＡＭ２０に格納する。
【００３７】
ステップ１０７において、地図描画部１４は、経路探索処理部２４によって探索された走行経路を経路メモリ２６から読み出して、この走行経路を含む範囲の地図描画データを作成する。地図描画部１４は、作成した地図描画データをＶＲＡＭ２０に格納する。画像合成部３４は、ＶＲＡＭ２０に格納された描画データと、操作画面発生部３２から出力される描画データを合成して、ディスプレイ装置６に出力する。
【００３８】
ステップ１０８において、ディスプレイ装置６は、施設リストと、この施設リストの中から選択された一の施設に至るまでの走行経路に関する文字情報と、地図画像を含んだ地図画像を画面上に表示する。例えば、図４（ｂ）に示すように、画面左側には、第１の領域Ａ３、施設リストが表示される第２の領域Ａ４が設けられている。施設リストは、５０音順、データベースへの登録順、自車位置に近い順に施設が配列される。また、画面右側の領域には、施設リストの中から選択された施設を目的地とした場合の走行経路に関する経路情報が表示されている。
【００３９】
画面右上側には、文字情報が表示される文字情報領域Ａ１が設けられており、走行距離「８０ｋｍ」、走行時間「３時間」、走行料金「４０００円」が表示されている。利用者は施設に至るまでの走行経路の内容を具体的に把握することができる。また、画面右下側には、地図画像領域Ａ２が設けられており、目的地として探索された走行経路全体を含む範囲の地図画像が表示されている。利用者は、施設へ至る走行経路に関する地理的な情報を容易に把握することができる。
【００４０】
ステップ１０９において、施設検索部１６は、現在選択されている施設を経路誘導の対象となる目的地として決定する旨の操作がリモコンユニット４によって行われたか否かを検出する。施設検索部１６は、所定期間内に、目的地として決定する旨の操作指示がなされなかった場合には、ステップ１１０において、施設リストに含まれる他の施設が選択されたか否かを検出し、他の施設が選択されていない間はステップＳ１０９に戻り、他の施設が選択された場合は、ステップＳ１０５に戻って上記処理を繰り返す。
【００４１】
ステップ１０９において、施設検索部１６は、選択された施設を目的地として決定する旨の操作がなされたことを検出した場合には、経路誘導処理部２８へ制御信号を出力する。ステップ１１０において、経路誘導処理部２８は、経路メモリ２６に格納されている経路データに基づき所定の経路処理を行う。
【００４２】
次に、上記ステップＳ１０３における施設リスト作成処理について説明する。図４（ａ）は施設検索部１６での検索結果を示す図、同図（ｂ）は検索画像の表示例を示す図である。図５は、施設リストの作成フローチャートを示す図である。図４（ｂ）において、符号６はディスプレイ装置、６１はディスプレイ装置の画面を示している。
【００４３】
ステップ２０１において、操作画像発生部３２は、施設検索部１６による検索の結果に基づいて、該当する施設の候補が規定数以上あるか否かを検出する。図４（ａ）では、施設検索部１６による検索の結果に基づき、該当する施設の候補が３つ抽出された例を示している。ここで、該当する施設の候補の規定数は２つとしているため、操作画像発生部３２は、ステップ２０２へ進む。
【００４４】
ステップ２０２において、操作画像発生部３２は、抽出された施設の名称の、先頭の規定文字数部分が同じ名称であるか否かを検出する。ここで、先頭の規定文字数部分が同じであるという条件は、ごく少数の文字数分だけが同じであった場合に、不適切な省略表示を行わないためである。なお、この文字数は、ユーザーが設定できるようにしてもよい。ここでは、規定の文字数を６文字としているため、操作画像発生部３２は、ステップ２０３に進む。図４（ａ）では、施設名の先頭文字の１０文字が同じ名称の施設名が３つ検出された例を示している。
【００４５】
ステップＳ２０３において、操作画像発生部３２は、検索された候補の中で、施設名の先頭の同じ名称部分を抽出する。図４（ａ）において、施設名の先頭の同じ名称部分は「株式会社エービーシー」である。ステップＳ２０４において、操作画像発生部３２は、施設名の先頭の同じ名称部分を除いた残りの名称部分を抽出する。図４（ａ）において、施設名の先頭の同じ名称部分を除いた残りの名称部分は、「○○店」、「△△店」、「××店」である。
【００４６】
図４（ｂ）に示すように、操作画像発生部３２は、施設リスト中の先頭列（第１の領域Ａ３）に、施設名の先頭の同じ名称部分「株式会社エービーシー」を表示する。操作画像発生部３２は、施設リストの２列目以降（第２の領域Ａ４）に、施設名の同じ名称部分を除いた残りの名称部分「○○店」、「△△店」、「××店」をリスト形式で表示する。
【００４７】
また、操作画像発生部３２は、第２の領域Ａ４にリスト形式で表示した部分を上下にスクロールすることができるように表示する。図５（ｂ）において、矢印はスクロールできる範囲を示している。
【００４８】
このように、施設名の先頭の同じ名称部分だけを抽出して、これを第１の領域Ａ３に表示し、さらに、施設名の先頭の同じ名称部分を省略して、支店名部分等のように施設名の同じ名称を除いた残りの名称部分をリスト形式で第２の領域に表示するようにしたので、所望の施設をすばやく特定できる画面を提供できる。
【００４９】
なお、図４（ｂ）では、操作画像発生部３２が施設名の先頭の同じ名称部分を施設リストの１列目（第１の領域Ａ３）に表示するようにしたが、図６に示すように、施設名の先頭の同じ名称部分を、施設リストとは別の表示枠を設けて表示し、支店名などのように施設名の先頭の同じ名称部分を除いた残りの名称部分を施設リストの１列目から表示するようにしてもよい。この場合、別の表示枠が第１の領域Ａ３に相当し、施設リストが第２の領域Ａ４に相当する。
【実施例２】
【００５０】
次に、第２実施例について説明する。第２実施例は、上記第１実施例のステップＳ１０３における施設リスト作成処理の変形例である。図７は、第２実施例に係る施設リストの作成フローチャートである。図８は第２実施例に係る検索画像の表示例を示す図である。
【００５１】
図８（ｂ）において、符号６はディスプレイ装置、６１はディスプレイ装置の画面を示している。なお、施設検索部１６による検索結果は、図４（ａ）に示したものと同一のものとして以下説明する。
【００５２】
ステップ３０１において、操作画像発生部３２は、施設検索部１６による検索結果に基づいて、該当する施設の候補が規定数以上あるか否かを検出し、該当する施設の候補が規定数以上であるときは、ステップ３０２に進む。ステップ３０２において、操作画像発生部３２は、抽出された施設の名称の先頭の規定文字数部分が同じ名称であるか否かを検出する。
【００５３】
ステップＳ３０３において、操作画像発生部３２は、施設名の先頭の同じ名称部分を抽出する。ここで、施設名の先頭の同じ名称部分は、第１実施例と同様に「株式会社エービーシー」である。ステップＳ３０４において、操作画像発生部３２は、施設名の同じ名称部分を除いた残りの名称部分を抽出する。ここで、施設名の同じ名称部分を除いた残りの名称部分は、第１実施例と同様に、「○○店」、「△△店」、「××店」である。
【００５４】
ステップＳ３０５において、操作画像発生部３２は、施設名の同じ名称部分を除いた残りの名称部分の前に、同じ施設名を冠としてもつ施設であることを示す所定の文字又は記号等を付加する。図８では、所定の文字又は記号の例として、「同上」という文字が表示されている。
【００５５】
図８に示すように、操作画像発生部３２は、施設リスト中の先頭列（第１の領域Ａ３）に、施設名の先頭の同じ名称部分「株式会社エービーシー」を表示する。また、操作画像発生部３２は、施設リストの２列目以降（第２の領域Ａ４）に、施設名の同じ名称部分を除いた残りの名称部分「○○店」、「△△店」、「××店」をリスト形式で表示し、その前に所定の文字「同上」を表示する。また、操作画像発生部３２は、第２の領域Ａ４にリスト形式で表示した部分を上下にスクロールすることができるように表示する。図８において、矢印はスクロールできる範囲を示している。
【００５６】
このように、施設名の先頭の同じ名称部分だけを抽出して、これを第１の領域Ａ３に表示し、さらに、施設名の先頭の同じ名称部分を省略して、支店名部分等のように施設名の同じ名称部分を除いた残りの名称部分を第２の領域Ａ４にリスト形式で表示し、その前に冠として所定の文字又は記号を表示するようにしたので、どの文字が省略されているのかを簡単に確認することができる。
【００５７】
なお、図８では、操作画像発生部３２が施設名の先頭の同じ名称部分を施設リストの１列目（第１の領域Ａ３）に表示するようにしたが、図９に示すように、施設名の先頭の同じ名称部分を、施設リストとは別の表示枠を設けて表示し、支店名などのように施設名の同じ名称部分を除いた残りの名称部分の前に、所定の文字等を付加したものを施設リストの１列目から表示するようにしてもよい。この場合、別の表示枠が第１の領域Ａ３に相当し、施設リストが第２の領域Ａ４に相当する。
【実施例３】
【００５８】
次に第３実施例について説明する。第３実施例は、上記第１実施例のステップＳ１０３における施設リスト作成処理の変形例である。図１０は第３実施例に係る検索画像の表示例を示す図である。図１１は、第３実施例に係る施設リストの作成フローチャートである。図１０において、符号６はディスプレイ装置、６１はディスプレイ装置の画面を示している。なお、施設検索部１６による検索結果は、図４（ａ）に示したものと同一のものとして以下説明する。
【００５９】
ステップ４０１において、操作画像発生部３２は、施設検索部１６による検索結果に基づいて、該当する施設の候補が規定数以上あるか否かを検出し、該当する施設の候補が規定数以上あるときは、ステップ４０２に進む。ステップ４０２において、操作画像発生部３２は、抽出された施設名の先頭の規定文字数部分が同じ名称でか否かを検出する。
【００６０】
ステップＳ４０３において、操作画像発生部３２は、施設名の先頭の同じ名称部分を抽出する。ここで、施設名の先頭の同じ名称部分は、第１実施例と同様に「株式会社エービーシー」である。
【００６１】
ステップＳ４０４において、操作画像発生部３２は、施設名の同じ名称部分を除いた残りの名称部分を抽出する。ここで、施設名の同じ名称部分を除いた残りの名称部分は、第１実施例と同様に、「○○店」、「△△店」、「××店」である。ステップＳ４０５において、操作画像発生部３２は、施設名の同じ名称部分を除いた残りの名称部分の後ろに、先頭の同じ名称部分を付加する。
【００６２】
図１０に示すように、操作画像発生部３２は、施設リストの先頭列（第１の領域Ａ３）に、施設名の先頭の同じ名称部分「株式会社エービーシー」を表示する。また、操作画像発生部３２は、施設リストの２列目以降（第２の領域Ａ４）に、施設名の同じ名称部分を除いた残りの名称部分「○○店」、「△△店」、「××店」の後ろに、施設名の先頭の同じ名称部分「株式会社エービーシー」を付加したものを表示する。なお、図１０では、表示領域の関係で、施設名の先頭の同じ名称部分「株式会社エービーシー」は完全に表示されていない。
【００６３】
このように、施設名の先頭の同じ名称部分だけを抽出して表示し、さらに、施設名の同じ名称部分を省略して、支店名部分等のように施設名の同じ名称部分を除いた残りの名称部分の後ろに、施設名の先頭の同じ名称部分を付加して表示するようにしたので、優先度の高い部分を先に表示できるため、所望の施設をすばやく特定することができる。
【００６４】
なお、図１０では、操作画像発生部３２は、施設名称の先頭の同じ名称部分を施設リストの１列目に表示するようにしたが、施設名の先頭の同じ名称部分を、施設リストとは別の表示枠を設けて表示し、支店名などのような施設名の同じ名称部分を除いた残りの名称部分の後ろに、施設名の先頭の同じ名称部分を付加したものを施設リストの１列目から表示するようにを作成してもよい。
【００６５】
また、リモコン４の操作によって、施設名の同じ名称部分を除いた名称部分と、施設名の先頭の同じ名称部分の前後の表示順を入れ替えられるようにしてもよい。
【実施例４】
【００６６】
次に第４実施例について説明する。第４実施例は、上記第１実施例のステップＳ１０３における施設リスト作成処理の変形例である。図１２は第４実施例に係る施設リストの表示例を示す図である。
【００６７】
図１３は、第４実施例に係る施設リストの作成フローチャートである。図１２において、符号６はディスプレイ装置、６１はディスプレイ装置の画面を示している。なお、施設検索部１６による検索結果は、図４（ａ）に示したものと同一のものとして以下説明する。
【００６８】
ステップ５０１において、操作画像発生部３２は、施設検索部１６による検索結果に基づいて、該当する施設の候補が規定数以上あるか否かを検出し、該当する施設の候補が規定数以上であるときは、ステップ５０２に進む。ステップ５０２において、操作画像発生部３２は、抽出された施設名の先頭の規定文字数部分が同じ名称か否かを検出する。
【００６９】
ステップ５０３において、操作画像発生部３２は、施設名の先頭の同じ名称部分を抽出する。ここで、施設名の先頭の同じ名称部分は、第１実施例と同様に「株式会社エービーシー」である。
【００７０】
ステップ５０４において、操作画像発生部３２は、複数の施設名を所定の字数だけ順次横方向に移動させる。スクロール方向は横方向に自動又は手動で、同一行上で行われる。図１２に示すように、操作画像発生部３２は、施設リストの先頭列（第１の領域Ａ３）に、施設名の先頭の同じ名称部分「株式会社エービーシー」を表示する。また、操作画像発生部３２は、施設リストの２列目以降（第２の領域Ａ４）に、施設名「株式会社エービーシーディー○○店」を所定の字数だけ同一行で順次横方向に移動させて表示する。
【００７１】
また、操作画像発生部３２は、施設リストの３列目に、施設名「株式会社エービーシーディー△△店」を所定の字数だけ順次横方向に移動させて表示する。さらに、操作画像発生部３２は、施設リストの４列目に、施設名「株式会社エービーシーディー××店」を所定の字数だけ順次横方向に移動させて表示する。
【００７２】
このように、施設名を所定の字数だけ順次横方向に移動させて表示するようにしたので、項目を一つ一つ選択して、正確な名称を確認する等の操作が不要となり、所望の施設をすばやく特定することができる。
【実施例５】
【００７３】
次に、第５実施例について説明する。第５実施例は、上記第１実施例のステップＳ１０３における施設リスト作成処理の変形例である。図１４は第５実施例に係る施設リストの表示例を示す図である。
【００７４】
図１５は、第５実施例に係る施設リストの作成フローチャートである。図１４において、符号６はディスプレイ装置、６１はディスプレイ装置の画面を示している。なお、施設検索部１６による検索結果は、図４（ａ）に示したものと同一のものとして以下説明する。
【００７５】
ステップ６０１において、操作画像発生部３２は、施設検索部１６による検索結果に基づいて、該当する施設の候補が規定数以上あるか否かを検出し、該当する施設の候補が規定数以上であるときは、ステップ６０２に進む。ステップ６０２において、操作画像発生部３２は、抽出された施設名の先頭の規定文字数部分が同じ名称でか否かを検出する。
【００７６】
ステップＳ６０３において、操作画像発生部３２は、施設名の先頭の同じ名称部分を抽出する。ここで、施設名の先頭の同じ名称部分は、第１実施例と同様に「株式会社エービーシー」である。ステップＳ６０４において、操作画像発生部３２は、施設名の同じ名称部分を除いた残りの名称部分を抽出する。ここで、施設名の同じ名称部分を除いた残りの名称部分は、第１実施例と同様に、「○○店」、「△△店」、「××店」である。
【００７７】
ステップＳ６０５において、図１４に示すように、操作画像発生部３２は、施設リストの先頭列（第１の領域Ａ３）に、施設名の先頭の同じ名称部分「株式会社エービーシー」を表示する。また、操作画像発生部３２は、施設リストの２列目以降（第２の領域Ａ４）に、まず、施設名の先頭の同じ名称部分「株式会社エービーシー」を表示し、次に、施設名の同じ名称部分を除いた残りの名称部分「○○店」、「△△店」、「××店」を自動又は手動でスクロールできるようにリスト形式で表示する。
【００７８】
このように、施設名の先頭の同じ名称部分だけを抽出して表示し、さらに、施設名の同じ名称部分の後に、支店名部分等のように施設名の同じ名称部分を除いた残りの名称部分をスクロールできるように表示したので、優先度の高い箇所だけをスクロールさせることにより、所望の施設をすばやく特定することができる。
【００７９】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００８０】
【図１】従来の施設リストの表示例を示す図である。
【図２】第１実施例に係るナビゲーション装置のブロック図である。
【図３】第１実施例に係るナビゲーション装置の動作例である。
【図４】（ａ）は施設検索部での検索結果を示す図、同図（ｂ）は検索画像の表示例を示す図である。
【図５】施設リストの作成フローチャートを示す図である。
【図６】検索画像の他の表示例を示す図である。
【図７】第２実施例に係る施設リストの作成フローチャートである。
【図８】第２実施例に係る検索画像の表示例を示す図である。
【図９】第２実施例に係る検索画像の他の表示例を示す図である。
【図１０】第３実施例に係る検索画像の表示例を示す図である。
【図１１】第３実施例に係る施設リストの作成フローチャートである。
【図１２】第４実施例に係る施設リストの表示例を示す図である。
【図１３】第４実施例に係る施設リストの作成フローチャートである。
【図１４】第５実施例に係る施設リストの表示例を示す図である。
【図１５】第５実施例に係る施設リストの作成フローチャートである。
【符号の説明】
【００８１】
１  ナビゲーションコントローラ
２  ＤＶＤ
３  ディスク読取装置
４  リモコンユニット
５  車両位置検出部
６  ディスプレイ装置
３２  操作画像発生部
１００  ナビゲーション装置
【図１】
2005055261.tif 000003
【図２】
2005055261.tif 000004
【図３】
2005055261.tif 000005
【図４】
2005055261.tif 000006
【図５】
2005055261.tif 000007
【図６】
2005055261.tif 000008
【図７】
2005055261.tif 000009
【図８】
2005055261.tif 000010
【図９】
2005055261.tif 000011
【図１０】
2005055261.tif 000012
【図１１】
2005055261.tif 000013
【図１２】
2005055261.tif 000014
【図１３】
2005055261.tif 000015
【図１４】
2005055261.tif 000016
【図１５】
2005055261.tif 000017